(57)【要約】【課題】システム設計／構築にあたり必要な技術情報を一元的に入手でき、必要なハード／ソフト製品をまとめて購入することがでるシステムを提供する。【解決手段】各種インターネット端末１と購買受付システム７とにネットワーク２及び６を介して接続されたサーバ３と、各種検証環境設備５で得られた技術情報を格納するデータベース４とを有し、サーバ３は、データベース４の技術情報を各種インターネット端末１に提供するとともに購買受付システム７との間で利用者に関わるハード／ソフトの製品購入の処理を行う。【選択図】      図１
2004302628.tif 000002
【特許請求の範囲】
【請求項１】
各種インターネット端末と購買受付システムとにネットワークを介して接続されたサーバと、
各種検証環境設備で得られた技術情報を格納するデータベースとを有し、
前記サーバは、前記データベースの技術情報を前記各種インターネット端末に提供するとともに前記購買受付システムとの間で前記各種インターネット端末の利用者に関わるハード／ソフトの製品のまとめ購入の処理を行う
ことを特徴とするユビキタスコミュニティサービスシステム。
【発明の詳細な説明】
【０００１】
【発明の属する技術分野】
本発明は、システム設計／構築にあたり必要な技術情報を一元的に入手でき、必要なハード／ソフト製品をまとめて購入することがでるユビキタスコミュニティサービスシステムに関する。
【０００２】
【従来の技術】
個人あるいは法人がある種のシステムを設計／構築する場合、システム全体として機能を満たしかつ最も安価であるハード、ソフト製品の選択は容易ではない。
【０００３】
一般的にはシステム要件から、各製品のカタログ仕様をみつつ、全体を構成するに適当かつできるだけ安価な製品を選択することとなる。しかしながらこの選択の正否はひとえに担当技術者の経験や知識に負うところが多く、異なるベンダ（ハード／ソフト）製品間の不整合や製品カタログの仕様内容の誤解等により失敗することも多い状況である。なお、類似の技術が下記の特許文献１に記載されている。
【０００４】
【特許文献１】
特開平１１−２３８０５０号公報
【０００５】
【発明が解決しようとする課題】
従来の技術の問題点は、以下のようにシステム設計／構築にあたり必要な技術情報を一元的に入手することができないこと、および必要なハード／ソフト製品をまとめて購入することができないことである。すなわち、
各ハード／ソフトベンダの個々カタログ情報では必要な条件を満足するか否かは明確ではないため、個別に当該ベンダに問い合わせが必要である。
【０００６】
また、複数ハード／ソフトベンダが関連する構成にしたときの動作保証情報（性能、品質、処理能力等）を簡単に入手することができない。
【０００７】
さらに必要なハード／ソフト類を一元的に安価に購入することができない。  本発明は、上記に鑑みてなされたもので、その目的は、システム設計／構築にあたり必要な技術情報を一元的に入手でき、必要なハード／ソフト製品をまとめて購入することができるユビキタスコミュニティサービスシステムを提供することにある。
【０００８】
【課題を解決するための手段】
上記課題を解決するため、請求項１の本発明は、各種インターネット端末と購買受付システムとにネットワークを介して接続されたサーバと、各種検証環境設備で得られた技術情報を格納するデータベースとを有し、前記サーバは、前記データベースの技術情報を前記各種インターネット端末に提供するとともに前記購買受付システムとの間で前記各種インターネット端末の利用者に関わるハード／ソフトの製品のまとめ購入の処理を行うことを特徴とするユビキタスコミュニティサービスシステムをもって解決手段とする。
【０００９】
【発明の実施の形態】
以下、本発明の実施の形態を図面を参照して説明する。
【００１０】
図１は、本発明のユビキタスコミュニティサービスシステムの構成例を示す図である。
【００１１】
符号１は、各種インターネット端末であり、一般、法人ユーザがインターネット端末として使用し、コミュニティサイトにアクセスし技術情報の入手、問い合わせ、ハード／ソフト製品購入指示等の処理を行う。
【００１２】
符号２は、一般、法人ユーザ端末とコミュニティサイトの間を接続するインターネットである。
【００１３】
符号３は、サーバであり、コミュニティサイトの設備であり技術情報の提供およびハード／ソフト製品の購入受付処理、ベンダへの購入支持処理等を行う。
【００１４】
符号４は、データベースであり、各種検証設備で実証した結果を技術情報として格納する。
【００１５】
符号５は、各種検証環境設備であり、各種業務モデルに対応したシステム設備を有し、個々のハード／ソフト製品の検証および各種モデルの機能、性能、信頼性等に関する検証評価を行う。
【００１６】
符号６は、本コミュニティサイトとハード／ソフトベンダの購買受付システムとを結ぶネットワークである。
【００１７】
符号７は、各ハード／ソフトベンダの有する製品の購買受付システムである。
次に、発明とビジネスとの関わりを説明すると、
（１）適用ビジネス分野
本サイトが適用されるビジネス分野としては、企業内ＬＡＮシステム（セキュリティ技術、ネットワーク技術、メイル等）や家庭内ＬＡＮシステム（セキュリティ技術、ネットワーク技術、メイル等）などが考えられる。
【００１８】
（２）商品、サービス名
ユビキタス時代を迎えて、各種ハード／ソフト製品を用いて誰でもが簡単にシステム設計、構築する時代となったときそのための技術支援を行うコミュニティであるのでユビキタスコミュニティサービスシステムとする。
【００１９】
次に、図１を参照してユビキタスコミュニティサービスシステムの内容を説明する。
【００２０】
一般、法人ユーザはインターネット端末１を利用してユビキタスコミュニティ（ホームページ）にアクセスしシステム設計／構築に必要な技術情報を入手する。
【００２１】
例えばハード／ソフト製品個別情報（機能、性能等評価）である。（図１でステップＳ１の処理）
さらにコミュニティ上に示されたモデルの中から適当なものを選択しシステム設計を行う。そのとき、システムは、業務モデル別に、要求仕様（規模、信頼性等）に応じたパターンとその構成ハード／ソフト製品名表示を行う。例えば、Ｗｅｂモデルの中規模かつ高信頼性パターンの場合のシステム構成と構成製品名や、バックアップモデルの小規模、低信頼性パターンの場合のシステム構成と構成製品名を表示する。（図１でステップＳ２の処理）
各種検証環境５を用いて種々の検証を行った結果等の技術情報はデータベース４に格納しておきステップＳ１の処理においてサーバ３経由で参照される。なお、設計結果についてはコミュニティサイトからのコンサルタント指導もうけられる。（図１でステップＳ３の処理）
インターネット端末１からの種々の問い合せ、コンサルタント依頼はサーバ３で受け付けその内容はコミュニティサイトの人手により検討回答文を用意しインターネット２経由で当該端末１に返送される。
【００２２】
一連のこれらの行為に対してユーザは一定の対価をコミュニティサイトに支払う。さらにシステム設計が確定したらユーザはこのコミュニティサイトにてハード／ソフト製品の購入指示を出す。（図１でステップＳ４の処理）
製品情報はデータベース４に格納しておきインターネット端末１にはサーバ３経由で表示されインターネット端末１にて製品を選択するとサーバ３では購入選択情報としてネットワーク６経由で当該システムへユーザ情報、支払方法等の情報と合せて送付される。
【００２３】
コミュニティサイトでは必要なベンダに対してハード／ソフト製品の購入指示を行い。ベンダは必要な配送処理を行う。（図１でステップＳ５、６の処理）
ハード／ソフト製品の購入処理においてコミュニティサイトはベンダから製品販売仲介手数料を徴収する。
【００２４】
各ベンダとの製品の売買契約はあくまでコミュニティサイトが一括して行う。
さらにコミュニティサイトでのユーザのアクセス履歴を分析することによってコミュニティサイトでは製品ベンダへ製品開発、改良に必要な情報を提供し対価を得る。（図１でステップＳ７の処理）
本発明のポイント及び競争優位性は以下の通りである。
【００２５】
（１）発明のポイント
システムの設計、構築技術は個々の製品に関する技術情報を集めるだけでは獲得するのは非常に困難であり、現実は数多く実績、検証を積むことによって初めてノウハウとして蓄積できる技術である。
【００２６】
これらの技術情報をハード／ソフト製品ベンダに中立の立場でインターネットを通じて一般、法人ユーザに提供できるため、ユーザにとっては各種製品ベンダの思惑に惑わされることなく真に必要なシステム設計、構築が可能となる。
【００２７】
さらに、本コミュニティサイトでのユーザのアクセス履歴情報を元にユーザが製品に何を望むかの分析も可能であるため、製品ベンダへ製品開発、改良情報の発信も可能である。
【００２８】
併せて、必要な製品の購買仲介も本サイトで行うため、大量購買により価格の低減をはかることも可能となる。
【００２９】
今回の特許のポイントは製品ベンダに中立の立場で製品の評価検証をおこないその情報をインターネット上で表示することによってユーザにとって真に必要なシステム構築に寄与できるところである。
【００３０】
（２）競争優位性
ハード／ソフトベンダについては元々自社製品を販売するコンセプトからこの種のサービス提供の主体とはなり得ない。
【００３１】
主な競争相手はＳＩベンダであるがこの種の技術情報を広範に蓄積するためには検証環境も含め相当な設備投資が必要であることから大手のみが競争相手となり得る。ただ現状ではどこもこの種のサービスを行っていないことから早期に立ち上げユーザをコミュニティ会員として囲い込めば競争優位性を確保することができる。
【００３２】
【発明の効果】
以上説明したように、本発明のユビキタスコミュニティサービスシステムによれば、以下の効果を得ることができる。
【００３３】
各ベンダは基本的には自社製品を販売することが最終目標である。一方、本コミユニティサイトでは各ベンダ中立の立場をとって製品の検証評価を行いその結果情報をユーザに提供することから真にユーザの利便性をはかることができる。
【００３４】
また、併せてハード／ソフト製品の販売仲介を行うことから大量購買による価格の低減をはかることができる。
【００３５】
また、本コミュニティサイトでのユーザのアクセス履歴を蓄積、分析することによってユーザがどのような製品を望んでいるかあるいはある製品のどんな機能に不満を抱いているかの情報を得ることができる。この情報を各製品ベンダにフィードバックすることによって製品ベンダは真にユーザに喜ばれる製品開発が可能となる。
【００３６】
また、本コミュニティサイトでは各種の技術情報をインターネット上でオープンにすること（有料）によって誰でも簡便かつ安価にシステム設計構築を行うことができる。
【図面の簡単な説明】
【図１】本発明のユビキタスコミュニティサービスシステムの構成例を示す図である。
【符号の説明】
１  インターネット端末
２  インターネット
３  サーバ
４  データベース
５  各種検証環境設備
６  ネットワーク
７  購買受付システム
【図１】
2004302628.tif 000003